(57)【要約】【課題】調理器を使用したまま外出することを防止するとともに、警報器が外部環境の変化を検知して発報したと誤って認識されることを防止することができる報知システムを提供することを課題とする。【解決手段】外部環境の変化を検知して報知する警報器と、調理器の使用を検出する調理器使用検出部と、人の外出を検出する外出検出部と、を備え、調理器使用検出部が調理器の使用を検出し且つ外出検出部が人の外出を検出したときには、警報器の外部環境の変化を検知して報知する態様とは異なる態様で報知する。【選択図】図１
2016122302.tif 000002
【特許請求の範囲】
【請求項１】
外部環境の変化を検知して報知する警報器と、
調理器の使用を検出する調理器使用検出部と、
人の外出を検出する外出検出部と、を備え、
前記調理器使用検出部が前記調理器の使用を検出し且つ前記外出検出部が人の外出を検出したときには、前記警報器の外部環境の変化を検知して報知する態様とは異なる態様で報知する、報知システム。
【請求項２】
前記調理器使用検出部が前記調理器の使用を検出し且つ前記外出検出部が人の外出を検出した後、前記警報器が外部環境の変化を検知して報知するときの閾値を変更する、
請求項１に記載の報知システム。
【請求項３】
前記調理器使用検出部が前記調理器の使用を検出し且つ前記外出検出部が人の外出を検出した後、前記警報器が外部環境の変化を検知する周期を変更する、
請求項１または請求項２に記載の報知システム。
【請求項４】
前記調理器の使用および人の外出が所定時間継続したときには、前記調理器使用検出部が前記調理器の使用を検出し且つ前記外出検出部が人の外出を検出したときに報知する態様を変更して報知する、
請求項１から請求項３のいずれか一項に記載の報知システム。
【発明の詳細な説明】
【技術分野】
【０００１】
本発明は、報知システムの技術に関する。
【背景技術】
【０００２】
従来、ガスセンサまたは火災センサ等を備える警報器に関する技術は種々知られている。前記警報器は、外部環境の変化を検知して報知する。
【０００３】
また、コンロ等の調理器の使用を検出する調理器使用検出部と、人の外出を検出する外出検出部と、を備え、調理器を使用したまま外出することを防止する報知システムに関する技術は公知となっている（特許文献１参照）。
【先行技術文献】
【特許文献】
【０００４】
【特許文献１】特開２００３−２０７１３６号公報
【発明の概要】
【発明が解決しようとする課題】
【０００５】
しかしながら、前記報知システムは、調理器の使用を検出し且つ人の外出を検出したときに、報知音または報知メッセージ等の音声を発することよって報知する。
そして、前記報知システムでは、調理器を使用したまま外出した旨を報知したときに、警報器が外部環境の変化を検知して発報したと誤って認識されるおそれがあった。
【０００６】
本発明は以上の如き状況に鑑みてなされたものであり、調理器を使用したまま外出することを防止するとともに、警報器が外部環境の変化を検知して発報したと誤って認識されることを防止することができる報知システムを提供することを課題とする。
【課題を解決するための手段】
【０００７】
本発明の解決しようとする課題は以上の如くであり、次にこの課題を解決するための手段を説明する。
【０００８】
即ち、本願に開示する報知システムにおいては、外部環境の変化を検知して報知する警報器と、調理器の使用を検出する調理器使用検出部と、人の外出を検出する外出検出部と、を備え、前記調理器使用検出部が前記調理器の使用を検出し且つ前記外出検出部が人の外出を検出したときには、前記警報器の外部環境の変化を検知して報知する態様とは異なる態様で報知するものである。
【０００９】
本願に開示する報知システムにおいては、前記調理器使用検出部が前記調理器の使用を検出し且つ前記外出検出部が人の外出を検出した後、前記警報器が外部環境の変化を検知して報知するときの閾値を変更するものである。
【００１０】
本願に開示する報知システムにおいては、前記調理器使用検出部が前記調理器の使用を検出し且つ前記外出検出部が人の外出を検出した後、前記警報器が外部環境の変化を検知する周期を変更するものである。
【００１１】
本願に開示する報知システムにおいては、前記調理器の使用および人の外出が所定時間継続したときには、前記調理器使用検出部が前記調理器の使用を検出し且つ前記外出検出部が人の外出を検出したときに報知する態様を変更して報知するものである。
【発明の効果】
【００１２】
本発明の効果として、以下に示すような効果を奏する。
即ち、本発明によれば、調理器を使用したまま外出することを防止するとともに、警報器が外部環境の変化を検知して発報したと誤って認識されることを防止することができる。
【図面の簡単な説明】
【００１３】
【図１】本発明の実施形態に係る報知システムを示す模式図。
【図２】同じく報知システムの動作を示すフロー図。
【図３】同じく報知システムの動作を示すフロー図。
【図４】同じく報知システムの動作を示すフロー図。
【図５】同じく報知システムの動作を示すフロー図。
【発明を実施するための形態】
【００１４】
次に、図１から図５に記載の報知システム１について説明する。
【００１５】
報知システム１は、調理器２を使用可能な同一の建物（例えば、家屋、集合住宅の一室、または、店舗等）に設置される。
ここで、調理器２は、主に家庭または店舗内において調理の際に用いられる。調理器２には、ガスコンロ、または、電気コンロ、コンロ型電磁調理器（ＩＨ（Ｉｎｄｕｃｔｉｏｎ  Ｈｅａｔｉｎｇ）クッキングヒータ）、レンジ等がある。
図１に示すように、報知システム１は、制御部３と、警報器４と、調理器使用検出部５と、外出検出部６と、人検出部７と、報知部８と、を備える。制御部３、警報器４、調理器使用検出部５、外出検出部６、人検出部７、および、報知部８は、有線または無線等で互いに電気的に接続される。
【００１６】
報知システム１の制御部３は、報知システム１（警報器４、調理器使用検出部５、外出検出部６、人検出部７、および、報知部８）の各種の動作を制御する。制御部３は、記憶装置（不図示）と時計機能（例えばリアルタイムクロック）とを備える。
制御部３は、警報器４と一体的に構成される。なお、制御部３は、警報器４と別体で構成することもできる。また、制御部３は、調理器使用検出部５、外出検出部６、人検出部７、または、報知部８と、一体的に構成することもできる。
【００１７】
報知システム１の警報器４は、外部環境の変化を検知して報知する。
警報器４は、センサ部９と、発報部１０と、を備える。
【００１８】
報知システム１の警報器４のセンサ部９は、外部環境の変化を検知する。警報器４のセンサ部９は、ＬＰガス、都市ガス、若しくは、一酸化炭素等の被検知ガスを検出してガス漏れ等を検知するガスセンサ、または、温度若しくは煙を検出して火災を検知する火災センサ等で構成される。
【００１９】
報知システム１の警報器４の発報部１０は、例えば、警報音または警報メッセージ等の音声を発すること、および／または、外部（例えば、警備会社、建築物管理会社、消防署、または、携帯情報端末等）に通信することによって発報（報知）する。
警報器４の発報部１０は、センサ部９が外部環境の変化を検知したときに発報する。警報器４の発報部１０は、センサ部９が検出した値が予め定められた所定の値（以下、「第一閾値」という）以上と制御部３が判断したときに発報する。
【００２０】
報知システム１の調理器使用検出部５は、調理器２が使用されたことを検出する。調理器使用検出部５は、例えば、調理器２のスイッチがＯＮ／ＯＦＦされたことを検出して調理器２の使用を検出、または、ガスメータまたは電気メータ等のメータ機器５ａが計測した値を検出して調理器２の使用を検出する。また例えば、調理器使用検出部５は、調理器２周りのガス漏れやニオイを検出するガスセンサ、調理器２周りの煙や湯気等を検出する火災・光学センサ、または、調理器２上に配置される鍋やフライパン等の調理道具の表面温度を検出する焦電センサ等が計測した値を検出して調理器２が使用されたことを検出する。
【００２１】
報知システム１の外出検出部６は、報知システム１が設置される建物から人が外出したこと、または、報知システム１が設置される建物に人が帰宅したこと（外出から戻ってきたこと）を検出する。外出検出部６は、例えば、建物の玄関（建物の出入口）付近に配置され、玄関のドアの開閉を検出するドアセンサ、または、玄関に人が通行したこと検出する人感センサ等で構成されて、人の外出等を検出する。また例えば、外出検出部６は、玄関付近に設置される機器（例えば、インターホン８ｂまたはセキュリティシステム機器８ｃ等）に備えられるドアセンサ、または、人感センサ等によって、人の外出等を検出する。
【００２２】
報知システム１の人検出部７は、調理器２の付近にいる人を検出する。
人検出部７は、例えば、調理器２の近傍（キッチン）に配置され、キッチンのドアの開閉を検出するドアセンサ、または、調理器２付近の人を検出する人感センサ等で構成されて、調理器２の付近に人がいることを検出する。
【００２３】
報知システム１の報知部８は、人が外出したときに調理器２が使用中であることを報知する。報知部８は、複数種類の報知手段または複数台の機器からなり、有線または無線等で互いに電気的に接続される。報知部８は、例えば、警報器４、ガスまたは電気等のエネルギー管理システム機器８ａ、または、玄関付近に設置される機器（例えば、インターホン８ｂまたはセキュリティシステム機器８ｃ等）から報知音または報知メッセージ等の音声を発することよって報知する。また例えば、報知部８は、外部（例えば、警備会社、建築物管理会社、消防署、または、携帯情報端末等）に通信することによって報知する。報知部８は、報知部８から直接外部に通信、または、警報器４、調理器使用検出部５、若しくは、外出検出部６を介して外部に通信する。
報知部８は、調理器使用検出部５が調理器２の使用を検出し、且つ、外出検出部６が人の外出を検出したときに報知する。報知部８は、調理器使用検出部５が調理器２のスイッチのＯＮを検出、または、調理器使用検出部５が検出した値が予め定められた所定の値（以下、「第二閾値」という）以上と制御部３が判断し、且つ、外出検出部６が人の外出を検出したと制御部３が判断したときに、報知する。
また、報知部８は、調理器使用検出部５が調理器２の使用を検出し、人検出部７が調理器２の付近に人を検出せず、且つ、外出検出部６が人の外出を検出したときに報知する。報知部８は、調理器使用検出部５が調理器２のスイッチのＯＮを検出、または、調理器２が検出した値が第二閾値以上と制御部３が判断し、人検出部７が調理器２の付近に人を検出せず、且つ、外出検出部６が人の外出を検出したと制御部３が判断したときに、報知する。
【００２４】
次に、報知システム１における報知する一連の動作について、図２を用いて説明する。
【００２５】
図２に示すように、報知システム１では、まず、警報器４（警報器４のセンサ部９）が外部環境の変化を検知したか否かについて、制御部３が判断する（ステップＳ１）。
警報器４が外部環境の変化を検知した、と制御部３が判断した場合には、ステップＳ２に移行する。
警報器４が外部環境の変化を検知していない、と制御部３が判断した場合には、ステップＳ３に移行する。
【００２６】
次に、報知システム１では、警報器４（警報器４の発報部１０）が発報（報知）する動作を行う（ステップＳ２）。
【００２７】
次に、報知システム１では、調理器使用検出部５が調理器２の使用を検出したか否かについて、制御部３が判断する（ステップＳ３）。
調理器使用検出部５が調理器２の使用を検出したと、制御部３が判断した場合、ステップＳ４に移行する。
調理器使用検出部５が調理器２の使用を検出していないと、制御部３が判断した場合、ステップＳ１に移行する。
【００２８】
次に、報知システム１では、人検出部７が調理器２の付近に人を検出したか否かについて、制御部３が判断する（ステップＳ４）。
人検出部７が調理器２の付近に人を検出しないと、制御部３が判断した場合、ステップＳ５に移行する。
人検出部７が調理器２の付近に人を検出したと、制御部３が判断した場合、ステップＳ１０に移行する。
【００２９】
次に、報知システム１では、外出検出部６が人の外出を検出したか否かについて、制御部３が判断する（ステップＳ５）。
外出検出部６が人の外出を検出したと、制御部３が判断した場合、ステップＳ６に移行する。
外出検出部６が人の外出を検出していないと、制御部３が判断した場合、ステップＳ１０に移行する。
【００３０】
次に、報知システム１では、警報器４の外部環境の変化を検知する動作態様を変更する（ステップＳ６）。
このとき、ステップＳ２において警報器４の発報部１０が通常（調理器２の使用が検出されずまた人の外出が検出されない状態）よりも寛容な条件（危険度の低い条件）でも発報するように、警報器４の外部環境の変化を検知する動作態様を変更する。例えば、第一閾値（警報器４が外部環境の変化を検知して発報するときの閾値）を下げる、または、警報器４のセンサ部９における外部環境の変化を検知する駆動周期を短く（例えば、６０秒間隔から３０秒間隔で）すること等によって、警報器４の外部環境の変化を検知する動作態様を変更する。
警報器４の外部環境の変化を検知する動作態様を変更した後、ステップＳ７に移行する。
【００３１】
次に、報知システム１では、ステップＳ３における調理器２の使用とステップＳ５における外出の検出が所定時間（例えば、１５分間）継続したか否かについて、制御部３が判断する（ステップＳ７）。
このとき、調理器使用検出部５が、所定時間継続（所定回数連続）して調理器２の使用を検出し、且つ、外出検出部６が、外出を検出してから所定時間継続して帰宅を検出しない場合、調理器２の使用と外出の検出が所定時間継続したと、制御部３が判断する。
調理器２の使用および外出の検出が所定時間継続したと、制御部３が判断した場合、ステップＳ８に移行する。
調理器２の使用および外出の検出が所定時間継続していない、制御部３が判断した場合、ステップＳ９に移行する。
【００３２】
次に、報知システム１では、ステップＳ９における報知部８の報知態様を変更する（ステップＳ８）。
このとき、報知部８による報知がより広範囲の人に認識されるように、報知部８の報知態様を変更する。報知部８の報知態様が、例えば、音声を発する態様である場合には、音声の種類を変更、音声を発する機器（場所）を変更（例えば、音声を発する機器をインターホン８ａから警報器４に変更）、音声を発する機器の数を変更（例えば、セキュリティシステム機器８ｃのみの音声を発する態様から、セキュリティシステム機器８ｃと警報器４とから音声を発する態様に変更）、外部へ通信する態様に変更、または、音声を発し且つ外部へ通信する態様等に変更する。また例えば、報知部８の報知態様が、外部に通信する態様である場合には、通信先を変更（例えば、個人の携帯電話に通信する構成から警備会社に通信する態様に変更）、通信先の数（例えば、個人の携帯電話のみに通信する態様から、個人の携帯電話と建物管理会社とに通信する態様に変更）、音声を発する態様に変更、または、外部に通信し且つ音声を発する態様等に変更する。
報知部８の報知態様を変更した後、ステップＳ９に移行する。
【００３３】
次に、報知システム１では、ステップＳ２における警報器４の発報部１０の発報（報知）と異なる態様で報知部８が報知する（ステップＳ９）。
このとき、警報器４の発報部１０が外部環境の変化を検知して発報するときの音声と、異なるメッセージ、異なるパターン、異なる音圧や音量等で、報知部８が報知する。報知部８は、例えば、「コンロを使用中です」等のメッセージを警報器４の発報部１０よりも低音量で報知する。
報知部８は、報知を開始した後に、警報器４が外部環境の変化を検知したと制御部３が判断したとき、調理器使用検出部５が調理器２の使用を検出していないと制御部３が判断したとき、人検出部７が調理器２の付近に人を検出したと制御部３が判断したとき、外出検出部６が人の外出を検出していないと制御部３が判断したときとき、または、調理器使用検出部５が調理器２の使用を検出したと制御部３が継続して判断し且つ外出検出部６が人の外出を検出したと制御部３が継続して判断した状態で所定時間経過（例えば、１５分）したとき、報知する動作を終了する。また、報知部８は、停止スイッチを備え、停止スイッチが操作されたときに、報知する動作を終了する構成とすることもできる。
警報器４の発報部１０の発報（報知）と異なる態様で報知部８が報知した後、ステップＳ１に移行する。
【００３４】
次に、報知システム１では、ステップＳ３における調理器２の使用が所定時間（例えば、１時間３０分）継続したか否かについて、制御部３が判断する（ステップＳ１０）。
このとき、所定時間継続（所定回数連続）して調理器２の使用を検出した場合、調理器２の使用が所定時間継続したと、制御部３が判断する。また、ステップＳ１０における所定時間はステップＳ７の所定時間に比べて長い時間に設定される。
調理器２の使用が所定時間継続したと、制御部３が判断した場合、ステップＳ１１に移行する。
調理器２の使用が所定時間継続していない、制御部３が判断した場合、ステップＳ１に移行する。
【００３５】
次に、報知システム１では、警報器４の外部環境の変化を検知する動作態様を変更する（ステップＳ１１）。
このとき、ステップＳ２において警報器４の発報部１０が通常（調理器２の使用が検出されずまた人の外出が検出されない状態）よりも寛容な条件（危険度の低い条件）でも発報するように、警報器４の外部環境の変化を検知する動作態様を変更する。例えば、第一閾値（警報器４が外部環境の変化を検知して発報するときの閾値）を下げ、または、警報器４のセンサ部９における外部環境の変化を検知する駆動周期を短く（例えば、６０秒間隔から３０秒間隔で）すること等によって、警報器４の外部環境の変化を検知する動作態様を変更する。
警報器４の外部環境の変化を検知する動作態様を変更した後、ステップＳ９に移行する。
以上のようにして、報知システム１における報知する動作を行う。
【００３６】
以上のように、調理器使用検出部５が調理器２の使用を検出し且つ外出検出部６が人の外出を検出したときには、警報器４の外部環境の変化を検知して報知する態様とは異なる態様で報知する、報知システム１では、調理器２の使用が検出され且つ人の外出が検出されたときには、警報器４の外部環境の変化を検知して発報（報知）する態様とは異なる態様で報知する。
したがって、報知システム１によれば、調理器２を使用したまま外出することを防止するとともに、警報器４（警報器４の発報部１０）が外部環境の変化を検知して発報したと誤って認識されることを防止することができる。
【００３７】
以上のように、調理器使用検出部５が調理器２の使用を検出し、人検出部７が調理器２の付近に人を検出せず、且つ外出検出部６が人の外出を検出したときには、警報器４の外部環境の変化を検知して報知する態様とは異なる態様で報知する、報知システム１では、人検出部７が調理器２の付近に人を検出しないときに、警報器４の外部環境の変化を検知して発報（報知）する態様とは異なる態様で報知する。
したがって、報知システム１によれば、調理器２の付近にいる者が調理器２を使用中にもかかわらず、他の者が外出したときに報知することを防止することができる。
【００３８】
以上のように、調理器使用検出部５が調理器２の使用を検出し且つ外出検出部６が人の外出を検出した後、警報器４の外部環境の変化を検知する動作態様を変更する、報知システム１では、調理器２を使用したまま外出しているときに、警報器４の外部環境の変化を検知する動作態様を変更する（例えば、第一閾値を下げる、または、警報器４のセンサ部９における外部環境の変化を検知する駆動周期を短くする）ことによって、通常よりも寛容な条件でも警報器４の発報部１０から発報させることができる。
【００３９】
以上のように、調理器２の使用および人の外出が所定時間継続したときには、調理器使用検出部５が調理器２の使用を検出し且つ外出検出部６が人の外出を検出したときに報知する態様を変更して報知部８が報知する、報知システム１では、調理器２の使用および人の外出が所定時間継続した後、例えば、音声の種類または外部に通信する態様に報知態様を変更して、報知部８による報知（調理器２を使用したまま外出していること）をより広範囲の人に認識させることができる。
【００４０】
以上のように、調理器２付近に人が検出され且つ調理器２の使用が所定時間継続したとき、または、人の外出が検出されず且つ調理器２の使用が所定時間継続したときには、警報器４の外部環境の変化を検知する動作態様を変更する、報知システム１では、調理器２を使用した状態が継続しているときに、警報器４の外部環境の変化を検知する動作態様を変更する（例えば、第一閾値を下げる、または、警報器４のセンサ部９における外部環境の変化を検知する駆動周期を短くする）ことによって、通常よりも寛容な条件でも警報器４の発報部１０から発報させることができる。
【００４１】
報知システム１では、第二閾値は、第一閾値よりも低い値として設定される。つまり、調理器使用検出部５は、警報器４が外部環境の変化を検知して報知する条件よりも寛容な条件で調理器２の使用を検出する。例えば、調理器使用検出部５が、警報器４のセンサ部９と同様の種類のセンサで構成（例えば、調理器使用検出部５と警報器４のセンサ部９とがそれぞれガスセンサで構成）される場合、第二閾値の値は第一閾値の値よりも低く設定される。
【００４２】
以上のように、第二閾値が第一閾値よりも低い値として設定される、報知システム１によれば、第二閾値が第一閾値よりも低い値として設定されて、検出された値が第二閾値以上の第一閾値未満であれば、警報器４の発報部１０は発報（報知）せず、報知部８が報知する構成のものを簡易な設定で実現することができる。
【００４３】
報知システム１では、報知部８は、単一の種類の報知手段または単数台の機器によって報知する構成とすることもできる。報知部８は、警報器４と一体的に構成され、警報器４の発報部１０として（発報部１０と共通して）構成することもできる。
【００４４】
以上のように、報知部８が警報器４の発報部１０と共通して構成される、報知システム１によれば、報知システム１をコンパクトに構成することができる。
【００４５】
報知システム１では、人検出部７がドアセンサで構成され、キッチンのドアが開いたとき（または、閉じたとき）に調理器２の付近に人がいることを検出する構成では、例えば、ドアを開閉することができない猫等の動物によって、人検出部７が誤って調理器２の付近に人がいないこと（調理器２の付近に人がいること）を検出することを防止することができる。
【００４６】
報知システム１では、人検出部７が人感センサで構成され、調理器２の付近に人がいることを検出する構成では、キッチンにドアが無い場合等において調理器２の付近に人がいることを検出する構成を簡易に実現することができる。
【００４７】
報知システム１では、人検出部７がドアセンサと人感センサとで構成され、キッチンのドアが開いた後、所定時間以内（例えば、１０秒以内）にキッチンのドアの外側で人が通行したときに、調理器２の付近に人を検出しなくなる構成とすることもできる。このように構成することにより、例えば、人がキッチン内に入ってきたこと（調理器２の付近に人がいる状態）を、人がキッチン外に出たこと（調理器２の付近に人がいなくなる状態）と誤って人検出部７が検出することを防止することができる。
【００４８】
報知システム１では、人検出部７がドアセンサと人感センサとで構成され、キッチンのドアの内側で人が通行した後、所定時間以内（例えば、１８０秒以内）にドアが開いたときに、調理器２の付近に人を検出しなくなる構成とすることもできる。このように構成することにより、例えば、人がキッチン内に入ってきたこと（調理器２の付近に人がいる状態）を、人がキッチン外に出たこと（調理器２の付近に人がいなくなる状態）と誤って人検出部７が検出することを防止することができる。
【００４９】
報知システム１では、人検出部７がキッチンのドアの内側で人が通行したことを検出する人感センサと、キッチンのドアの外側で人が通行したことを検出する人感センサと、で構成することもできる。このとき、人検出部７は、キッチンのドアの内側に人が通行した後、所定時間以内（例えば、１８０秒以内）にキッチンのドアの外側に人が通行したときに、調理器２の付近に人を検出しなくなる。このように構成することにより、例えば、人がキッチン内に入ってきたこと（調理器２の付近に人がいる状態）を、人がキッチン外に出たこと（調理器２の付近に人がいなくなる状態）と誤って人検出部７が検出することを防止することができる。
【００５０】
報知システム１では、外出検出部６がドアセンサで構成され、玄関のドアが開いたとき（または、閉じたとき）に人の外出を検出する構成では、例えば、ドアを開閉することができない猫等の動物によって、外出検出部６が誤って人の外出（または外出から戻ってきたこと）を検出することを防止することができる。
【００５１】
報知システム１では、外出検出部６が人感センサで構成され、玄関に人が通行したときに人の外出を検出する構成では、玄関にドアが無い場合等において人の外出を検出する構成を簡易に実現することができる。
【００５２】
報知システム１では、外出検出部６がドアセンサで構成され、ドアが開いている状態が所定時間（例えば、５分間）継続するときに人の外出を検出する構成とすることもできる。このように構成することにより、例えば、玄関のドアが開いた状態で立ち話をして調理器２が使用されていることを忘れてしまうことを防止することができる。
【００５３】
報知システム１では、外出検出部６が複数個のドアセンサで構成され、調理器２に最も近くに配置されるドア（例えば、キッチンのドア）が開いた後、所定時間以内（例えば、１８０秒以内）に他のドアが開いたときに、人の外出を検出する構成とすることもできる。このように構成することにより、例えば、人が外出から戻ってきたことを、人が外出したことと誤って外出検出部６が検出することを防止することができる。
【００５４】
報知システム１では、外出検出部６がドアセンサと人感センサとで構成され、ドアが開いた後、所定時間以内（例えば、１０秒以内）に玄関近傍のドアの外側で人が通行したときに、人の外出を検出する構成とすることもできる。このように構成することにより、例えば、人が外出から戻ってきたことを、人が外出したことと誤って外出検出部６が検出することを防止することができる。
【００５５】
報知システム１では、外出検出部６がドアセンサと人感センサとで構成され、玄関近傍のドアの内側で人が通行した後、所定時間以内（例えば、１８０秒以内）にドアが開いたときに、人の外出を検出する構成とすることもできる。このように構成することにより、例えば、人が外出から戻ってきたことを、人が外出したことと誤って外出検出部６が検出することを防止することができる。
【００５６】
報知システム１では、外出検出部６が玄関近傍のドアの内側に人が通行したことを検出する人感センサと、玄関近傍のドアの外側で人が通行したことを検出する人感センサと、で構成することもできる。このとき、外出検出部６は、玄関近傍のドアの内側で人が通行した後、所定時間以内（例えば、１８０秒以内）に玄関近傍のドアの外側で人が通行したときに、人の外出を検出する。このように構成することにより、例えば、人が外出から戻ってきたことを、人が外出したことと誤って外出検出部６が検出することを防止することができる。
【００５７】
報知システム１では、ステップＳ５において外出を検出していない場合と、ステップＳ５において外出を検出した場合とで、ステップＳ９における報知部８が報知する態様をそれぞれ異なる態様とすることもできる。このとき、ステップＳ５において外出を検出していない場合と、ステップＳ５において外出を検出した場合とで、異なるメッセージ、異なるパターン、または、異なる音圧や音量等で、報知部８が報知する。例えば、報知部８は、ステップＳ５において人の外出を検出していない場合には、人の外出を検出している場合よりも危険度が低いことから、ステップＳ５において外出を検出した場合よりも低音量で報知する。
【００５８】
報知システム１では、ステップＳ６において警報器４の外部環境の変化を検知する動作態様を変更する場合と、ステップＳ１１において警報器４の外部環境の変化を検知する動作態様を変更する場合とで、第一閾値を下げる値、または、警報器４のセンサ部９における外部環境の変化を検知する駆動周期の短さを、それぞれ異なるように警報器４の外部環境の変化を検知する動作態様を変更することもできる。例えば、ステップＳ１１のように人の外出を検出していない場合には、ステップＳ６のように人の外出を検出している場合よりも危険度が低いことから、ステップＳ６において警報器４の外部環境の変化を検知する動作態様を変更する場合よりも、第一閾値を下げる値を少なく、または、警報器４のセンサ部９における外部環境の変化を検知する駆動周期の短さを長くする。
【００５９】
図３に示すように、報知システム１では、人検出部７が調理器２の付近に人を検出したか否かについて制御部３が判断する動作（ステップＳ４）を含まない構成とすることもできる。このような構成では、ステップＳ３において調理器使用検出部５が調理器２の使用を検出したと、制御部３が判断した場合、ステップＳ５に移行する。このように構成することにより、より簡易な制御で報知する動作を行うことができる。
【００６０】
図４に示すように、報知システム１では、警報器４の外部環境の変化を検知する動作態様を変更する動作（ステップＳ６）を含まない構成とすることもできる。このような構成では、ステップＳ５において外出検出部６が人の外出を検出したと、制御部３が判断した場合、ステップＳ７に移行する。このように構成することにより、より簡易な制御で報知する動作を行うことができる。
【００６１】
報知システム１では、警報器４の外部環境の変化を検知する動作態様を変更する動作（ステップＳ１１）を含まない構成とすることもできる。このような構成では、ステップＳ１０において調理器２の使用が所定時間継続したと制御部３が判断した場合、ステップＳ９に移行する。このように構成することにより、より簡易な制御で報知する動作を行うことができる。
【００６２】
図５に示すように、報知システム１では、調理器２の使用と外出の検出が所定時間継続したか否かについて制御部３が判断する動作（ステップＳ７）、および、ステップＳ９における報知部８の報知態様を変更する動作（ステップＳ８）、を含まない構成とすることもできる。このような構成では、ステップＳ６において警報器４の外部環境の変化を検知する動作態様を変更した後、ステップＳ９に移行する。このように構成することにより、より簡易な制御で報知する動作を行うことができる。
【００６３】
報知システム１は、スイッチまたはタッチパネル等の操作具を備え、操作具を操作することによってステップＳ９において報知部８が報知するか否かについて設定可能に構成することもできる。操作具が操作されてステップ８において報知部８が報知しない設定の場合には、図２から図４に示す報知システム１の動作では、ステップＳ９における報知部８の報知態様を変更する動作（ステップＳ８）を行った後ステップＳ１に移行し、図５に示す報知システム１の動作では、ステップＳ６において警報器４の外部環境の変化を検知する動作態様を変更した後ステップＳ１に移行する。
このように構成することにより、報知部８を備える構成であっても、操作具の簡易な操作で報知部８による報知が行われない状態とすることができる。
【００６４】
報知システム１は、スイッチまたはタッチパネル等の操作具を備え、操作具を操作することによってステップＳ９において報知部８が報知する態様を所望の態様に設定可能に構成することもできる。例えば、操作具を操作することによって、音声の種類、音声を発する機器、音声を発する機器の数、外部へ通信するときの通信先、音声を発しない、外部へ通信しない、または、音声を発し且つ外部へ通信する等について、報知部８の報知態様を設定する。また例えば、操作具を操作することによって、第一閾値または第二閾値を所望の値に設定可能に構成することもできる。
【符号の説明】
【００６５】
１    報知システム
２    調理器
３    制御部
４    警報器
５    調理器使用検出部
６    外出検出部
７    人検出部
８    報知部
９    センサ部
１０  発報部
【図１】
2016122302.tif 000003
【図２】
2016122302.tif 000004
【図３】
2016122302.tif 000005
【図４】
2016122302.tif 000006
【図５】
2016122302.tif 000007